(57)【特許請求の範囲】
【請求項１】
複数の金種の現金を一括して収納する一括カセットと、金種別に現金を収納する金種別カセットと、紙幣の鑑別及び計数を行う鑑別部とを具備し、前記一括カセット及び各金種別カセットは現金の収納、繰り出しを同一側から行うように構成されている入出金装置の精査システムであって、
精査時に前記一括カセット内のすべての現金を繰り出して金種別に振り分けることなく金種別カセットに分配して収納し、
分配終了後、１つの金種別カセット内の現金をすべて繰り出して前記一括カセットに収納し、その後、前記一括カセットからすべての現金を繰り出して前記鑑別部により金種の鑑別と計数を行った後、前記金種別カセットに戻し、
残りの金種別カセットに対して、順次同様の処理を行うことで入出金装置内の現金の有高を確定することを特徴とする入出金装置の精査システム。
【請求項２】
複数の金種の現金を一括して収納する一括カセットと、金種別に現金を収納する金種別カセットと、紙幣の鑑別及び計数を行う鑑別部とを具備し、前記一括カセット及び各金種別カセットは現金の収納、繰り出しを同一側から行うように構成されている入出金装置の精査システムであって、
精査時に各金種別カセットの収納可能量を割り出して、前記一括カセット内の紙幣を金種別カセットに金種別に収納可能と判断した場合、前記一括カセット内のすべての現金を繰り出して前記鑑別部により金種の鑑別と計数を行った後、金種別に振り分けて金種別カセットに分配して収納し、前記一括カセット内の紙幣を金種別カセットに金種別に収納することは不可能であるが金種を特定しなければ収納可能と判断した場合、前記一括カセット内のすべての現金を繰り出して金種別に振り分けることなく金種別カセットに分配して収納し、
分配終了後、１つの金種別カセット内の現金をすべて繰り出して前記一括カセットに収納し、その後、前記一括カセットからすべての現金を繰り出して前記鑑別部により金種の鑑別と計数を行った後、前記金種別カセットに戻し、
残りの金種別カセットに対して、順次同様の処理を行うことで入出金装置内の現金の有高を確定することを特徴とする入出金装置の精査システム。
【請求項３】
複数の金種の現金を一括して収納する一括カセットと、金種別に現金を収納する金種別カセットと、紙幣の鑑別及び計数を行う鑑別部とを具備し、前記一括カセット及び各金種別カセットは現金の収納、繰り出しを同一側から行うように構成されている入出金装置の精査システムであって、
精査時に前記一括カセット内のすべての現金を繰り出して前記鑑別部により計数を行った後、金種別に振り分けることなく金種別カセットに分配して収納し、
分配終了後、１つの金種別カセット内の現金をすべて繰り出して前記一括カセットに収納し、その後、前記一括カセットからすべての現金を繰り出して前記鑑別部により金種の鑑別と計数を行った後、前記金種別カセットに戻し、
残りの金種別カセットに対して、順次同様の処理を行うことで入出金装置内の現金の有高を確定すると共に、
精査前に一括カセットに収納されていた紙幣を各金種別カセットから繰り出して一括カセット内に収納することを特徴とする入出金装置の精査システム。
【請求項４】
複数の金種の現金を一括して収納する一括カセットと、金種別に現金を収納する金種別カセットと、紙幣の鑑別及び計数を行う鑑別部とを具備し、前記一括カセット及び各金種別カセットは現金の収納、繰り出しを同一側から行うように構成されている入出金装置の精査システムであって、
精査時に前記一括カセット内のすべての現金を繰り出して前記鑑別部で金種の鑑別と計数を行った後、金種別に振り分けて金種別カセットに分配して収納すると共に、金種別カセットに収容できないオーバーフローの紙幣を出金し、
出金終了後、１つの金種別カセット内の現金をすべて繰り出して前記一括カセットに移し、その後、前記一括カセットからすべての現金を繰り出して前記鑑別部により金種の鑑別と計数を行った後、前記金種別カセットに戻し、
残りの金種別カセットに対して、順次同様の処理を行うことで入出金装置内の現金の有高を確定することを特徴とする入出金装置の精査システム。
【請求項５】
請求項１乃至請求項４のいずれか１つの請求項に記載の入出金装置の精査システムにおいて、
精査時に一括カセットまたは金種別カセットから繰り出されて現金が金種別カセットまたは一括カセットに搬送されて収納されるまで、次の現金の繰り出しを行わないように制御することを特徴とする入出金装置の精査システム。
【請求項６】
複数の金種の現金を一括して収納する一括カセットと、金種別に現金を収納する金種別カセットと、紙幣の鑑別及び計数を行う鑑別部とを具備し、前記一括カセット及び各金種別カセットは現金の収納、繰り出しを同一側から行うように構成されている入出金装置を窓口端末装置に接続すると共に、この窓口端末装置を上位装置に接続した入出金装置の精査システムであって、
精査時に前記入出金装置の一括カセット内の紙幣と及び各金種別カセットの内の紙幣の枚数を各カセット別にかつ金種別に記憶しているカウンタの内容を前記入出金装置から前記窓口端末装置へ通知して、前記窓口端末装置でカウンタの内容を解析し、
その解析の結果、一括カセット内のすべての紙幣を各金種別カセットに収納できるときは、前記窓口端末装置は前記入出金装置に請求項１の精査を行って有高を確定させる指示を出し、
前記解析の結果、一括カセット内のすべての紙幣を各金種別カセットに収納しきれないときは、前記窓口端末装置から前記上位装置にその旨の通知を行い、
前記上位装置から出金の指示を受けたとき、前記窓口端末装置は前記入出金装置に請求項４の精査を行って有高を確定させる指示を出すことを特徴とする入出金装置の精査システム。
【請求項７】
請求項６記載の入出金装置の精査システムにおいて、
一括カセット内のすべての紙幣を各金種別カセットに収納しきれない旨の通知を窓口端末装置から上位装置にその旨の通知を行った後、前記上位装置から前記窓口端末装置に指示があるまで、前記窓口端末装置は入出金装置に精査の実行を保留させることを特徴とする入出金装置の精査システム。
【請求項８】
請求項６記載の入出金装置の精査システムにおいて、
窓口端末装置は上位装置からの指示に基づいて、オペレータに対して一括カセットの紙幣のうちの金種別カセットに収納しきれない現金の出金を行わせる指示を表示部に表示することを特徴とする入出金装置の精査システム。
【請求項９】
請求項６記載の入出金装置の精査システムにおいて、
リジェクトボックス内の現金を抜き取り、入出金装置外で計数後、その計数結果を窓口端末装置に入力することで、入出金装置内で計数されたカセット別にかつ金種別の紙幣の枚数と前記計数結果を前記窓口端末装置で合算処理することを特徴とする入出金装置の精査システム。
【発明の詳細な説明】
【０００１】
【発明の属する技術分野】
本発明は、金融機関の窓口端末装置に接続される入出金装置内の現金を自動的に計数して有高を確定するための精査を実行するシステムに関するものである。
【０００２】
【従来の技術】
金融機関の窓口端末装置に接続される従来の入出金装置として、紙幣を金種別に収納する金種別カセットと、各金種の紙幣を一括して収納可能な一括カセットと、リジェクト紙幣を収納するリジェクトカセットと、入金紙幣や出金紙幣に対する各種の鑑別及び計数を行う鑑別部を有するものが知られており、前記一括カセット及び金種別カセットとして同一部位、例えば上端側で紙幣の収納、繰り出しを行う構造のものがある。
【０００３】
この入出金装置は、入金取引時に入金口から投入された入金紙幣を鑑別部で鑑別し、入金可能と鑑別した紙幣を計数して金種別カセットに金種別に収納するものとなっており、また、入金取引時において金種別カセットが満杯になったときのオーバーフロー紙幣を金種混在で一括カセットに受け入れることも可能となっている。
【０００４】
そして、出金取引時には、金種別カセットから繰り出した紙幣を鑑別部で鑑別して、出金可能と鑑別した紙幣を計数した後、出金口から支払うものとなっているが、この他にも、前記一括カセットを利用して各金種別カセットに対する紙幣の装填，補充や、各金種別カセットからの紙幣の回収を行う機能を有している。
このような入出金装置においては、入金，出金毎、装填，補充毎、回収毎に、紙幣の枚数が計数されるので、その計数値をメモリに設定したカウンタに記憶させることで、一括カセット及び金種別カセット内の紙幣の金種別の有高をデータ的に把握できるが、一般に金融機関においては、通常業務における入出金装置の運用終了後、一括カセット内と各金種別カセット内の紙幣を計数して有高を確定する精査という作業が行われる。
【０００５】
【発明が解決しようとする課題】
しかしながら、上述した従来の技術では、一括カセット及び金種別カセットにおける紙幣の収納、繰り出しが、各カセット毎に同一部位で行われるため、各カセットにおいて紙幣の繰り出しと収納を同時に行うことができず、そのため紙幣の金種鑑別及び計数を行う鑑別部を備えているにも係わらず、装置内の紙幣を計数して有高を確定するための精査処理を自動的に行うことが困難であった。
【０００６】
このようなことから、入出金装置内の紙幣の精査を行う場合、オペレータが一括カセット及び金種別カセット内の紙幣を抜き取って、人手により計数を行っており、そのためオペレータに少なからず負担がかかるだけでなく、精査作業に時間がかかるという問題があった。
また、オペレータが直接大量の紙幣に触れることからオペレータに少なからず心理的な負担がかかり、しかもセキュリティーの面からも好ましいものではなかった。
【０００７】
従って、本発明は、入出金装置の一括カセット及び金種別カセット内の現金の計数を自動的に効率よく行うことが可能で、精査処理に伴うオペレータの心理的負担を軽減できると共に、セキュリティー性の高い入出金装置の精査処理システムを実現することを課題としている。
【０００８】
【課題を解決するための手段】
そのため、本発明は、複数の金種の現金を一括して収納する一括カセットと、金種別に現金を収納する金種別カセットと、紙幣の鑑別及び計数を行う鑑別部とを具備し、前記一括カセット及び各金種別カセットは現金の収納、繰り出しを同一側から行うように構成されている入出金装置の精査システムであって、精査時に前記一括カセット内のすべての現金を繰り出して金種別に振り分けることなく金種別カセットに分配して収納し、分配終了後、１つの金種別カセット内の現金をすべて繰り出して前記一括カセットに収納し、その後、前記一括カセットからすべての現金を繰り出して前記鑑別部により金種の鑑別と計数を行った後、前記金種別カセットに戻し、残りの金種別カセットに対して、順次同様の処理を行うことで入出金装置内の現金の有高を確定することを特徴とする。
【０００９】
【発明の実施の形態】
以下に図面を参照して本発明の実施の形態について説明する。
図１は入出金装置の精査処理システムの構成を示すブロック図で、１は入出金装置、２はこの入出金装置１を制御する窓口端末装置、３は自動精査の実行状況を監視及び管理する役席端末装置（上位装置）、４は金融機関における営業店内のローカルネットワーク、５はゲートウェイ装置、６は回線、７は金融機関のセンタに設置されるホスト装置である。
【００１０】
ここで窓口端末装置２はオペレータが操作するキーボード等の入力部、ＣＲＴやＬＣＤ等の表示部、主制御部等から成り、役席端末装置３も窓口端末装置２と同様に入力部、表示部、主制御部等を備えている。
この、窓口端末装置２と役席端末装置３はローカルネットワーク４を介してゲートウェイ装置５に接続され、ゲートウェイ装置５は回線６を介してホスト装置７に接続されている。
【００１１】
図２は１は入出金装置１の内部構成を示す概略図で、１０は一括カセット、１１はリジェクトカセットで、この一括カセット１１及びリジェクトカセット１２は装置に対して着脱自在となっている。
１２〜１４は金種別カセットで、ここでは１２を万円紙幣収納用、１３を千円紙幣収納用、１４を五千円紙幣収納用としており、この金種別カセット１２〜１４は一括カセット１１及びリジェクトカセット１２と共に、一列に並べて装着されているが、必ずしも装置に対して着脱自在である必要はない。
【００１２】
１６は紙幣出金の際に使用される鑑別部（第１の鑑別部）、１７は紙幣入金の際に使用される鑑別部（第２の鑑別部）で、この鑑別部１６，１７と前記各カセット１０〜１４と、出金口，入金口，入金リジェクト口は紙幣を搬送する搬送路１５により結ばれており、搬送路１５による紙幣の搬送方向は図示しない切り替えブレードにより適宜に切り替えられるようになっている。
【００１３】
このような構成を有する入出金装置において、紙幣の処理は、通常、以下のように行われる。
まず、入金取引では、入金口から投入された紙幣を１枚づつ分離して搬送路１５により鑑別部１７に搬送し、この鑑別部１７で真偽，金種，正損等の鑑別を行い、入金不可と鑑別した偽券等の紙幣は出金リジェクト口に戻し、排出する。
【００１４】
一方、鑑別部１５で入金可能と鑑別した真券の紙幣は計数を行い、その後、出金に利用できる正券の紙幣を金種別に振り分けて金種別カセット１２〜１３にその上部から送り込んで収納し、出金に利用できない損券の紙幣をリジェクトカセット１１に収納する。
また、この入金取引時において金種別カセット１２〜１３が満杯になったときは、オーバーフローとして入金紙幣を一括カセット１０にその上部から送り込んで収納する。
【００１５】
出金取引の場合、要求に応じて金種別カセット１２〜１３内の紙幣をカセット上部から１枚づつ繰り出し、搬送路１５により鑑別部１７に搬送する。
そして鑑別部１７で金種等の鑑別を行い、その結果、重ね送り等があって出金に適さない紙幣は搬送路１７によりリジェクトカセット１１に送って収納し、金種が確認された出金に適する紙幣を搬送路１７により出金口送って集積した後、出金口から支払いを行う。
【００１６】
一括カセット１０内の紙幣を金種別カセット１２〜１３に対して、装填，補充を行う場合は、一括カセット１０の上部から紙幣を１枚づつ繰り出して、搬送路１５により鑑別部１６に搬送し、鑑別部１７で金種等の鑑別を行って、金種が確認された出金に適する紙幣を金種別に振り分けて金種別カセット１２〜１３にその上部から送り込んで収納し、出金に利用できない紙幣はリジェクトカセット１１に収納する。
【００１７】
また、金種別カセット１２〜１３内の紙幣を一括カセット１０に回収する場合は、各金種別カセット１２〜１３内の紙幣をカセット上部から１枚づつ繰り出して搬送路１５により鑑別部１６に搬送し、そして鑑別部１６で金種等の鑑別を行いて、金種が確認された出金に適する紙幣を搬送路１６により搬送して一括カセット１０の上部から送り込んで収納し、重ね送り等があって出金に適さない紙幣は搬送路１７によりリジェクトカセット１１に送って収納する。
【００１８】
図３は上述したシステムによる精査処理実行の手順を示すフローチャートであり、この図３にＳで示したステップに従って上述した構成の作用について説明する。
まず、通常業務における入出金装置１の運用終了後、予め定められた時間になるとホスト装置７から自動的に精査実行コマンドを発生し、回線６、ゲートウェイ装置５、及びローカルネットワーク４を介して窓口端末装置２に送信する（Ｓ１）。
【００１９】
窓口端末装置２は精査実行コマンドを受信すると（Ｓ２）、入出金装置１に対して一括カセット１０及び金種別カセット１２〜１４内の紙幣の枚数が記憶されている各カセット対応のカウンタの内容（紙幣枚数）の照会を要求し（Ｓ３）、これにより各カウンタの内容が入出金装置１から紙幣枚数情報として窓口端末装置２に送られると、窓口端末装置２はその情報を解析する（Ｓ４）。
【００２０】
そして、この解析により窓口端末装置２は、一括カセット１０及び金種別カセット１２〜１４内の紙幣の金種，枚数を把握すると共に、金種別カセット１２の収納可能量を割り出し、一括カセット１０内の紙幣の分配について次の３通りの決定を行う。
まず、２通りの方法を図４により説明する。
【００２１】
図４は一括カセット１０の紙幣の分配方法決定のための説明図で、同図（ａ）に示したように、例えば、現在一括カセット１０内に万円紙幣がＸ３枚、千円紙幣がＹ３枚、五千円紙幣がＺ３枚収納されているものとする。
また、金種別カセット１２については、その収納可能総容量Ｘ０枚に対して、万円紙幣の現在収納量がＸ１枚、残りの収納可能量がＸ２枚分あるものとし、同様に千円用の金種別カセット１３及び五千円用の金種別カセット１４について、収納可能総容量Ｙ０，Ｚ０、現在収納量Ｙ１，Ｚ１、残りの収納可能量Ｙ２，Ｚ２であるものとする。
【００２２】
そこで、一括カセット１０内の紙幣の枚数と金種別カセット１２〜１４における残りの収納可能量Ｘ２，Ｙ２，Ｚ２の関係が、
Ｘ２＞Ｘ３、Ｙ２＞Ｙ３、Ｚ２＞Ｚ３
の場合は、一括カセット１０内の紙幣を金種別に振り分けて金種別カセット１２〜１４に収納することが可能であるので、図４  （ｂ）  に示したように一括カセット１０内の紙幣を金種別に振り分けて金種別カセット１２〜１４に収納するものと決定する（Ｓ５）。
【００２３】
また、万円，千円，五千円のいずれか一金種あるいは二金種の紙幣が
Ｘ２＜Ｘ３、またはＹ２＜Ｙ３、またはＺ２＜Ｚ３
であって、かつ、
（Ｘ２＋Ｙ２＋Ｚ２）＞（Ｘ３＋Ｙ３＋Ｚ３）
の場合は、金種別カセット１２〜１４への金種別の収納は不可能であるが、金種を特定しなければ、収納可能であるので、この場合は図４  （ｃ）  に示したように一括カセット１０内の紙幣を金種別に振り分けることなく金種別カセット１２〜１４へ分配して収納するものと決定する（Ｓ６）。
【００２４】
一方、残りの１つの決定は、一括カセット１０内の紙幣が金種別カセット１２〜１４へ入りきらず、オーバーフローする場合、つまり、
（Ｘ２＋Ｙ２＋Ｚ２）＜（Ｘ３＋Ｙ３＋Ｚ３）
の場合であり、この場合は、役席端末装置３への通知を決定する（Ｓ７）。
このような決定に基づいて、それぞれ次の処理が行われる。
【００２５】
まず、前記Ｓ５のように、一括カセット１０内の紙幣を金種別に振り分けて金種別カセット１２〜１４に収納するものと決定した場合、窓口端末装置２は入出金装置１に対してその実行と精査を指示する。
これにより入出金装置１は、一括カセット１０内の紙幣を金種別に振り分けて金種別カセット１２〜１４に収納し、更に紙幣の計数を行う（Ｓ８）。
【００２６】
この場合の処理を図５により説明する。
図５は本発明における基本的な精査処理手順を示す説明図である。
まず、同図（ａ）に示したように、一括カセット１０の上部から紙幣を１枚づつ繰り出して搬送路１５により鑑別部１６に搬送し、鑑別部１６で金種等の鑑別を行った後、金種別に振り分けて金種別カセット１２〜１３にその上部から送り込んで収納する。
【００２７】
このようにして一括カセット１０内の紙幣を金種別カセット１２〜１３にすべて収納した後、同図  （ｂ）  に示したように、金種別カセット１２内の紙幣つまり万円紙幣をカセット上部から１枚づつ繰り出して搬送路１５により鑑別部１６に搬送し、この鑑別部１６で金種の鑑別及び計数を行って一括カセット１０内に収納し、金種別カセット１２の紙幣をすべて一括カセット１０に収納した後、同図  （ｃ）  に示したように逆の動作で一括カセット１０内の紙幣を金種別カセット１２に戻す。
【００２８】
続いて、同図  （ｄ）  に示したように、金種別カセット１３内の紙幣つまり千円紙幣を上部から１枚づつ繰り出して搬送路１５により鑑別部１６に搬送し、この鑑別部１６で金種の鑑別及び計数を行って一括カセット１０内に収納し、金種別カセット１３の紙幣をすべて一括カセット１０に収納した後、同図  （ｃ）  に示したように逆の動作で一括カセット１０内の紙幣を金種別カセット１３に戻す。
【００２９】
更に、同図  （ｆ）  に示したように、金種別カセット１４内の紙幣つまり五千円紙幣を上部から１枚づつ繰り出して搬送路１５により鑑別部１６に搬送し、この鑑別部１６で金種の鑑別及び計数を行って一括カセット１０内に収納し、金種別カセット１４の紙幣をすべて一括カセット１０に収納した後、同図  （ｇ）  に示したように逆の動作で一括カセット１０内の紙幣を金種別カセット１４に戻すという処理を行って、入出金装置１内の金種が判明している紙幣の有高を確定する。
【００３０】
また、前記Ｓ６のように、一括カセット１０内の紙幣を金種別に振り分けることなく金種別カセット１２〜１４へ収納するものと決定した場合、窓口端末装置２は入出金装置１に対してその実行と精査を指示する。
これにより入出金装置１は、一括カセット１０内の紙幣を金種別に振り分けることなく金種別カセット１２〜１４に収納した後、紙幣の計数を行う（Ｓ８）。
【００３１】
この場合の処理を図６により説明する。
図６は本発明における金種混合の場合の精査処理手順を示す説明図である。
まず、同図（ａ）に示したように、一括カセット１０の上部から紙幣を１枚づつ繰り出し、搬送路１５により鑑別部１６を経由させて金種別カセット１２に収納可能な分だけから送り込んで収納する。
【００３２】
同様に、金種別カセット１３に収納可能な分だけ送り込んで収納し、残りを金種別カセット１４に送り込んで収納する。
このようにして一括カセット１０内の紙幣を金種別カセット１２〜１４すべて収納した後、同図 (ｂ) に示したように、金種別カセット１２内の紙幣をカセット上部から１枚づつ繰り出して搬送路１５により鑑別部１６に搬送し、鑑別部１６で金種の鑑別及び計数を行って一括カセット１０内に収納し、金種別カセット１２の紙幣をすべて一括カセット１０に収納した後、同図 (ｃ) に示したように逆の動作で一括カセット１０内の紙幣を金種別カセット１２に戻す。
【００３３】
続いて、金種別カセット１３内の紙幣をカセット上部から１枚づつ繰り出して搬送路１５により鑑別部１６に搬送し、この鑑別部１６で金種の鑑別及び計数を行って一括カセット１０内に収納し、金種別カセット１３の紙幣をすべて一括カセット１０に収納した後、逆の動作で一括カセット１０内の紙幣を金種別カセット１３に戻す。
【００３４】
更に、金種別カセット１４内の紙幣つまり五千円紙幣を紙幣をカセット上部から１枚づつ繰り出して搬送路１５により鑑別部１６に搬送し、この鑑別部１６で金種の鑑別及び計数を行って一括カセット１０内に収納し、金種別カセット１４の紙幣をすべて一括カセット１０に収納した後、に示したように逆の動作で一括カセット１０内の紙幣を金種別カセット１４に戻すという処理を行って、入出金装置１内の金種が判明している紙幣の有高を確定する。
【００３５】
この有高確定時の状態においては、精査前に一括カセット１０内にあった各金種混合の紙幣が金種別カセット１２〜１４に収納されているので、有高確定後、同図  （ｄ）  に示したように、金種別カセット１２内の精査前に一括カセット１０内にあった金種混合の紙幣を繰り出して一括カセット１０に戻し、同様に金種別カセット１３，１４内の精査前に一括カセット１０内にあった金種混合の紙幣を順次繰り出して一括カセット１０に戻す。
【００３６】
一方、前記Ｓ７のように、オーバーフローのため、役席端末装置３への通知を決定した場合、窓口端末装置２から役席端末装置３にローカルネットワーク４を介して入出金装置１から得られたカウンタ値の情報とオーバーフローの旨の通知を行うと共に、入出金装置１に対しては精査の実行を保留させる（Ｓ９）。
役席端末装置３では、管理責任者がオーバーフローに対応して、２通りの精査実行処理のうちの１つを決定して、その旨の入力を行う（Ｓ１０）。
【００３７】
この場合の精査実行処理の１つは一括カセット１０の交換であり、別の１つはオーバーフロー分の紙幣の出金である。
例えば、オーバーフローの紙幣量が多い場合は、一括カセット１０の交換を行い、オーバーフローの紙幣量が少ない場合は、オーバーフロー分の紙幣の出金というように決定する。
【００３８】
これにより役席端末装置３は入力に従った処理の精査実行コマンドを窓口端末装置２にローカルネットワーク４を介して送り、これを受けて窓口端末装置２は精査実行コマンドに対応した処理メッセージを表示部に表示して、オペレータにその処理を促す。
ここで、一括カセット１０の交換を促す旨の指示と、抜き取った一括カセット１０の引き渡しを指示する旨の表示が行われた場合（Ｓ１１）、オペレータは、予め定められた専用のオペレータコードを入力し、入出金装置１の一括カセット１０を抜き取り可能な状態にする。
【００３９】
その後、オペレータは入出金装置１から一括カセット１０を抜き取って、元方である前記管理責任者に引き渡すと共に、代わりに空の一括カセット１０を受け取って入出金装置１に装着する（Ｓ１２）。
この一括カセット１０の装着により入出金装置１は、一括カセット１０のエンプティーを自動的に検出して、エンプティーが確認できた時点で、精査の実行の保留を解除し、Ｓ８の場合と同様の精査を行う。
【００４０】
但し、ここでの処理は、一括カセット１０が空であることから、図５  （ｂ）  〜  （ｇ）  の処理を行って紙幣の有高を確定する。
また、元方に運ばれた一括カセット１０内の紙幣は別途の精査処理として扱われ、元方で計数される。
前記精査実行コマンドに対応した処理メッセージとして、オーバーフロー分の紙幣の出金が表示された場合は、オペレータが窓口端末装置２で予め定められた専用のオペレータコードを入力し、入出金装置１に対してオーバーフロー分の紙幣を出金させる指示を行うと共に、入出金装置１内の紙幣の精査を行うよう指示する（Ｓ１３）。
【００４１】
これにより入出金装置１は紙幣の出金を行い、精査を実行するが、この場合の処理を図７により説明する。
図７は紙幣を出金を伴う精査処理手順を示す説明図である。
この図に示したように、入出金装置１は一括カセット１０の上部から紙幣を１枚づつ繰り出して搬送路１５により鑑別部１６に搬送し、鑑別部１６で金種等の鑑別を行った後、金種別に振り分けて金種別カセット１２〜１３にその上部から送り込んで収納する。
【００４２】
これにより一括カセット１０の紙幣を金種別カセット１２にＸ２枚分、金種別カセット１３にＹ２枚分、金種別カセット１４にＺ２枚分収納し、その後金種別カセット１２〜１５に収納できない紙幣を搬送路１５により出金口に搬送してオペレータに出金する。
このときの出金紙幣は、
万円紙幣が、Ｘ３−Ｘ２枚分、
千円紙幣が、Ｙ３−Ｙ２枚分、
五千円紙幣が、Ｚ３−Ｚ２枚分、
である。
【００４３】
但し、３金種すべての紙幣が出金されるとは限らず、１金種あるいは２金種のみの出金もあり得ることは明らかである。
その後、入出金装置１は精査の実行の保留を解除し、Ｓ８の場合と同様の精査を行うが、ここでの処理も前記図５  （ｂ）  〜  （ｇ）  の処理を行って紙幣の有高を確定する。
【００４４】
尚、出金された紙幣は、元方である管理責任者に引き渡され、別途の精査処理として扱われ、元方で計数される。
以上のようにして、いずれの場合も、入出金装置１内の金種が判明している紙幣の有高を確定するが、この有高を得るための精査に用いられる各カセット対応のカウンタは入出金装置１の通常の運用の際に用いられるカウンタとは別に用意され、有高確定精査用の各カウンタの内容（紙幣枚数）は入出金装置から窓口端末装置に送られる。
【００４５】
最終的な入出金装置１の紙幣の有高の確定は、リジェクトカセット１１内の紙幣の計数を行って、鑑別部１６で計数した紙幣の有高と合算する必要があるが、しかしながらリジェクトカセット１１内の紙幣は自動的に計数することができないので、オペレータによりリジェクトカセット１１内の紙幣を抜き取り、オペレータ自身が計数を行い、その計数結果を金種別に窓口端末装置２に入力する（Ｓ１４）。
【００４６】
これにより窓口端末装置２は入出金装置１から送られてきている精査用のカウンタの内容とオペレータにより入力された紙幣の計数結果とを合算し、最終的な入出金装置１の紙幣の総有高を確定して（Ｓ１５）、精査を終了させるが、この段階で一括カセット１０内の金種別の紙幣の枚数、金種別カセット１２〜１４内のそれぞれの紙幣の枚数は確定しているので、つまり精査用のカウンタに記憶されているので、そのカウンタ内容に基づいて通常の運用の際に用いる各カウンタカウンタの内容を更新する。
【００４７】
図８は入出金装置１の精査時ににおける紙幣の状態を示す説明図である。
入出金装置１の通常の運用時において、例えば一括カセット１０から紙幣を金種別カセット１２〜１４に補充する場合、補充等を短時間で行わなければならないという時間的な制約から、搬送路１５上に紙幣を一定の間隔で送りだすため、同図（ａ）に示したように搬送路１５上に複数の紙幣２０が存在することになるが、搬送の安定性、信頼性をより高めるためには搬送路１５上の紙幣の数は少ないほうが望ましい。
【００４８】
一方、入出金装置１の精査は前記のように装置の運用時間外に行われるものであり、そのため紙幣の搬送処理に時間的な制約を受けることは少ない。
そこで、本発明では、前記の精査時において、一括カセット１０から紙幣を繰り出して金種別カセット１２〜１４に収納する際、あるいは逆に金種別カセット１２〜１４から紙幣を繰り出して一括カセット１０に収納する際の紙幣の搬送処理において、同図 (ｂ) に示したように、一括カセット１０または金種別カセット１２〜１４から繰り出した１枚の紙幣２０が、鑑別部１６で計数されて金種別カセット１２〜１４または一括カセット１０に収納されるまで次の紙幣を繰り出さないように、つまり搬送路１５上に１枚の紙幣しか存在しないように間欠搬送処理を行うようにし、これにより搬送の安定性、信頼性をより高め、精査の確実性を図るものとする。
【００４９】
尚、上述した実施の形態では、入出金装置１が入金用と出金時の２つの鑑別部１６，１７を有するものとしたが、１つの鑑別部で入金時と出金時の鑑別，計数を行えるようにした入出金装置においても適用可能である。
【００５０】
【発明の効果】
以上説明した本発明によれば、精査時に入出金装置内の金種別カセット内の現金の計数を自動的に行うと共に、精査時の一括カセット内の現金の扱いを選択して、一括カセット内の現金をも入出金装置で自動計数できるようにようにしているため、オペレータが現金に手を触れる機会を最小限に抑えて、一括カセット内と金種別カセット内の現金の有高を確定することができる。
【００５１】
そのため、現金に直接触れることによるオペレータの負担を軽減することができると共に、精査作業も短時間で効率よく行うことができるという効果が得られる。
また、オペレータが直接の紙幣に触れる機会を最小限に抑えているので、セキュリティー正も向上するという効果も得られる。
【００５２】
更に、本発明は、従来より現金の補充，回収等に使用されている一括カセットを利用して、精査を行うため、既存の入出金装置のハードウェアをベースにソフトウェアを変更することで実現可能であり、現在金融機関で使用されている窓口装置にの入出金装置すべてに適用できるという効果も得られる。
【図面の簡単な説明】
【図１】本発明による実施の形態の構成を示すブロック図である。
【図２】図１の入出金装置の内部構成を示す概略図である。
【図３】図３は実施の形態による精査処理実行の手順を示すフローチャートである。
【図４】一括カセットの紙幣の分配方法決定のための説明図である。
【図５】基本的な精査処理手順を示す説明図である。
【図６】金種混合の場合の精査処理手順を示す説明図である。
【図７】紙幣を出金を伴う精査処理手順を示す説明図である。
【図８】入出金装置の精査時における紙幣搬送状態の説明図である。
【符号の説明】
１  入出金装置
２  窓口端末装置
３  役席端末装置
５  ゲートウェイ装置
７  ホスト装置
１０  一括カセット
１１  リジェクトカセット
１２〜１４  金種別カセット
１５  搬送路
１６，１７  鑑別部
２０  紙幣
【図１】
0003578591.tif 000002
【図２】
0003578591.tif 000003
【図３】
0003578591.tif 000004
【図４】
0003578591.tif 000005
【図５】
0003578591.tif 000006
【図６】
0003578591.tif 000007
【図７】
0003578591.tif 000008
【図８】
0003578591.tif 000009